(57)【要約】【課題】高不透明、柔軟性を持たせるために、サイズの発現には困難な灰分１５質量％以上の印刷用紙にステキヒトサイズ１５秒以上を持たせ、抄紙系内に汚れを発生させることなく、また、オフセット印刷適性、ペン書き裏抜け適性、小口面の染色適性を有する印刷用紙を提供するものである。【解決手段】内添サイズ剤としてアルキルケテンダイマー（以下、ＡＫＤと称す。）を対パルプ０．１０〜０．３０質量％、およびカチオン化変性脂肪酸系サイズ剤を対パルプ０．０２〜０．２０質量％配合して抄紙し、灰分１５質量％以上、且つステキヒトサイズ１５秒以上であることを特徴とする印刷用紙。【選択図】  なし【特許請求の範囲】
【請求項１】
内添サイズ剤としてアルキルケテンダイマー（以下、ＡＫＤと称す。）を対パルプ０．１０〜０．３０質量％、およびカチオン化変性脂肪酸系サイズ剤を対パルプ０．０２〜０．２０質量％配合して抄紙し、灰分１５質量％以上、且つステキヒトサイズ１５秒以上であることを特徴とする印刷用紙。
【発明の詳細な説明】
【０００１】
【発明の属する技術分野】
本発明は、サイズの発現に困難な灰分１５質量％以上の紙にサイズ性を十分持たせたステキヒトサイズ１５秒以上の印刷用紙に関するものである。
【０００２】
【従来の技術】
従来より、書籍用紙、辞典用紙、手帳用紙などの高不透明で柔軟な紙には、炭酸カルシウム、タルク、酸化チタンなどの填料を紙中に１５質量％以上配合するのが一般的である。
【０００３】
この印刷用紙はオフセット印刷で印刷されることが多く、このため、サイズ性がないと水まけをおこし、着肉不良となる場合がある。また、日記用紙、手帳用紙、参考書用紙、教科書用紙などはペン書き適性が必要であり、また手帳用紙、辞典用紙などは小口面に染料にて着色することが多く、この場合はさらに高サイズが必要となる。
【０００４】
サイズ性を持たせる方法としては、内添サイズ剤としてＡＫＤ、ロジン、アルケニル無水コハク酸（以下、ＡＳＡと称す。）などを０．２質量％以上配合するのが一般的であるが、より高いサイズ性を出すためにサイズ剤を高配合することにより、抄紙系内に汚れが発生し欠点を発生させる場合があった。
【０００５】
なお、各種の表面サイズ剤にてサイズ性を向上させることも可能であるが（例えば、特許文献１参照。）、１５質量％以上の高灰分紙に、ペン書き適性、小口面染料着色適性をもたせるまでのサイズ性を、表面サイズ剤で補うことは困難である。
【０００６】
また、イミテーションアートなどの高密度紙は、平滑性が高く水との接触角が小さくなることから、サイズ度が低くなり、さらにサイズ剤を増配合する必要があった。
【０００７】
【特許文献１】
特開２０００−３１４０９４号公報
【０００８】
【発明が解決しようとする課題】
本発明の目的は、高不透明、柔軟性を持たせるために、サイズの発現には困難な灰分１５質量％以上の印刷用紙にステキヒトサイズ１５秒以上を持たせ、抄紙系内に汚れを発生させることなく、また、オフセット印刷適性、ペン書き裏抜け適性、小口面の染色適性を有する印刷用紙を提供するものである。
【０００９】
【課題を解決するための手段】
本発明者は、上記問題点について鋭意研究した結果、本発明の高サイズ紙を発明するに至った。
【００１０】
すなわち、本発明の印刷用紙は、内添サイズ剤としてアルキルケテンダイマー（以下、ＡＫＤと称す。）を対パルプ０．１０〜０．３０質量％、およびカチオン化変性脂肪酸系サイズ剤を対パルプ０．０２〜０．２０質量％配合して抄紙し、灰分１５質量％以上、且つステキヒトサイズ１５秒以上であることを特徴とするものである。
【００１１】
【発明の実施の形態】
本発明は、灰分が１５質量％以上である紙において、オフセット印刷適性、ペン書き裏抜け適性、小口面への染料着色適性をもつ高サイズの印刷用紙である。以下、本発明の印刷用紙について、詳細に説明する。
【００１２】
印刷用紙は、主にオフセット印刷機で単色もしくは多色印刷されるため、印刷時に使用する水の悪影響、すなわち伸縮による見当ズレ、着肉不良、面強度低下などの問題を発生させないようにする必要がある。
【００１３】
また、未印刷、もしくは印刷後に日記用紙などに使用される場合は、ペン書き裏抜け適性が必要であり、インキの滲みの以外に、裏抜けを抑える必要がある。
【００１４】
さらには、未印刷、もしくは印刷後に小口面を染料にて着色した手帳、辞典などに使用される場合は、染料のしみこみを抑えるために更なる高サイズ性が必要である。
【００１５】
ＡＫＤ単独では、灰分１５質量％未満の紙では、高サイズが得られるものの灰分が増加するにつれ２次曲線的にサイズ性が低下することから、填料にＡＫＤが定着しパルプに有効に定着しなかったと推定された。
【００１６】
カチオン化変性脂肪酸系サイズ剤単独では、灰分の増加によるサイズの低下率は少ないものの、灰分１５質量％未満の紙でも十分なサイズ性は得られなかったことから、効果的にパルプに定着するものの、単体としてのサイズ効果が低いと推定された。
【００１７】
そこでサイズ発現の主体にはＡＫＤを使用し、ＡＫＤのパルプへの定着性を上げることを重点に、定着剤として単独ではサイズの発現効果は低いカチオン化変性脂肪酸系サイズ剤とを組み合わせることを考えた。
【００１８】
全サイズ剤固形分量の一部をカチオン化変性脂肪酸系サイズ剤にすることにより、効果的なサイズ発現性が得られ、さらに、カチオン化変性脂肪酸系サイズ剤を乳化剤として使用したＡＫＤサイズ剤も同様に、効果的なサイズ発現性が得られると考えた。
【００１９】
なお、ＡＫＤが対パルプ０．１０質量％未満、もしくは脂肪酸系サイズ剤が対パルプ０．０２質量％未満の場合はサイズは十分に発現せず、またＡＫＤが対パルプ０．３０質量％以上、もしくは脂肪酸系サイズ剤を対パルプ０．２０質量％以上添加してもこれ以上のサイズ向上効果は望めない。
【００２０】
本発明に用いられる印刷用紙は、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、ＤＩＰなどの古紙パルプなどのパルプを含み、軽質炭酸カルシウム、重質炭酸カルシウム、タルク、クレー、カオリンなどの各種の填料、サイズ剤、定着剤、歩留まり剤、カチオン化剤、紙力増強剤などの各種添加剤を含み、酸性、中性、アルカリ性で抄造され、澱粉、ポリビニルアルコールなどでサイズプレスされる。
【００２１】
なお、ここでサイズ剤とは、ＡＫＤサイズ剤とカチオン化変性脂肪酸系サイズ剤の２種のサイズ剤、もしくはカチオン化変性脂肪酸系サイズ剤乳化剤として使用したＡＫＤサイズ剤を使用する。
【００２２】
かくして、乾燥された印刷用紙は、マシンカレンダー処理などが施される。
【００２３】
【実施例】
以下、実施例を用いてさらに詳細に本発明を説明するが、本発明はこれにより限定されるものではない。なお、実施例中の「部」および「％」はそれぞれ「質量部」および「質量％」を示す。
【００２４】
実施例１
＜原紙配合＞
ＬＢＫＰ（瀘水度４４０ｍｌｃｓｆ）                              ８０部
ＮＢＫＰ（瀘水度４９０ｍｌｃｓｆ）                              ２０部
【００２５】
＜内添薬品＞
炭酸カルシウム（＊紙中灰分量で表示。）                          ＊２０部
市販カチオン澱粉                                                  １部
市販ＡＫＤサイズ剤                                                                                    ０．２０部
市販脂肪酸系サイズ剤                                                                                ０．１０部
市販カチオン系ポリアクリルアミド歩留り向上剤                ０．０２部
上記のパルプ、内添薬品配合で６４ｇ／ｍ２の坪量（絶乾）の原紙を抄造し、ベース紙基紙とした。抄紙機はフォードリニアタイプ（三菱重工業社製）であり、４５０ｍ／分の抄速で抄造した。
【００２６】
＜サイズ液の塗工＞
糊液濃度５％の酸化澱粉を使用し、サイズプレスにより付着させて印刷用紙を得た。
【００２７】
実施例２
実施例１におけるＡＫＤサイズ剤を０．１０部とし同様に印刷用紙を得た。
【００２８】
実施例３
実施例１におけるＡＫＤサイズ剤を０．３０部とし同様に印刷用紙を得た。
【００２９】
実施例４
実施例１における脂肪酸系サイズ剤を０．０２部とし同様に印刷用紙を得た。
【００３０】
実施例５
実施例１における脂肪酸系サイズ剤を０．２０部とし同様に印刷用紙を得た。
【００３１】
比較例１
実施例１における脂肪酸系サイズ剤を未添加とし、同様に印刷用紙を得た。
【００３２】
比較例２
実施例５におけるＡＫＤサイズ剤を未添加とし、同様に印刷用紙を得た。
【００３３】
比較例３
比較例１における紙中灰分を１４％として、同様に印刷用紙を得た。
【００３４】
比較例４
比較例２における紙中灰分を１４％として、同様に印刷用紙を得た。
【００３５】
比較例５
実施例１におけるＡＫＤサイズ剤を０．３５％とし、同様に印刷用紙を得た。
【００３６】
比較例６
実施例５における脂肪酸系サイズ剤を０．２５％とし、同様に印刷用紙を得た。
【００３７】
比較例７
実施例３における脂肪酸系サイズ剤を０．０１％とし、同様に印刷用紙を得た。
【００３８】
比較例８
実施例５におけるＡＫＤサイズ剤を０．０９％とし、同様に印刷用紙を得た。
【００３９】
上記実施例１〜５および比較例１〜８により得られた印刷用紙について、下記の評価方法により評価し、その結果を下記表１および表２に示した。
【００４０】
評価方法
＜ステキヒトサイズ＞
ＪＩＳ−Ｐ８１２２に準じて測定。
【００４１】
＜オフセット印刷適性＞
三菱重工製２色枚葉オフセット印刷機ダイヤにて印刷し、目視にて判定。１（悪い）から５（良い）の５段階評価とし、３以上が製品可能レベル。
【００４２】
＜ペン書き裏抜け＞
Ｊ．ＴＡＰＰＩ  Ｎｏ．１２に準じて行い、裏抜けを目視判定。１（悪い）から５（良い）の５段階評価とし、３以上が製品可能レベル。
【００４３】
＜小口面染色適性＞
紙を２００枚重ねて横１２７ｍｍ、縦１８８ｍｍにギロチンで断裁し、束見本を作成する。この切断面にパーカー社製スーパーＱ赤インキを筆にて塗り、インキの染み込みを目視にて判定。１（悪い）から５（良い）の５段階評価とし、３以上が製品可能レベル。
【００４４】
＜不透明度＞
ＪＩＳ−Ｐ８１３８に準じて行なった。
【００４５】
各実施例、および各比較例の結果について、表１、表２にまとめた。
【００４６】
【表１】
2004277928.tif 000002
【００４７】
【表２】
2004277928.tif 000003
【００４８】
表１、表２より、内添サイズ剤としてＡＫＤ対パルプ０．１０質量％から０．３０質量％、およびカチオン化変性脂肪酸系サイズ剤を対パルプ０．０２質量％から０．２０質量％配合した灰分１５質量％以上でオフセット印刷、ペン書き裏抜け、及び小口面の染色適性がありステキヒトサイズ１５秒以上の印刷用紙が得られることが確認できた。比較例５は実施例３より、比較例６は実施例５よりサイズ剤を過剰に入れた場合だが、共に実施例より向上しておらずサイズ剤増量の効果がないことがわかる。比較例３、及び４の様に灰分が１４％と低い場合は、サイズ性は発現しやすい傾向にあるものの、不透明度が低くなる。
【００４９】
【発明の効果】
本発明は、サイズの発現に困難な灰分１５質量％以上の紙にサイズ性を十分持たせ、オフセット印刷、ペン書き裏抜け、及び小口面の染色適性がありステキヒトサイズ１５秒以上の印刷用紙を得ることができる。